(57)【特許請求の範囲】
【請求項１】
短手方向に沿って放出される紙幣を集積するステージを備えた紙幣収納箱において、
前記ステージを、紙幣の短手方向の長さの１／４以下の長さを持つ平坦部と、この平坦部から下降する方向に延びる斜面との組み合わせにより構成し、
このステージの斜面の下端から、紙幣の短手方向の長さの１／２以下のところを光軸が通過するようにセンサを設けて、前記斜面に集積された長手方向に半折れした紙幣が、前記センサの光軸を遮るようにしたことを特徴とする紙幣収納箱。
【請求項２】
短手方向に沿って放出される紙幣を集積するステージを備えた紙幣収納箱において、
紙幣の短手方向の長さの１／４以下の長さを持つ第１の平坦部と、
該第１平坦部から下降する方向に延びる第１の斜面と、
該第１の斜面の下端から水平に延び、紙幣の短手方向の長さの１／４以下の長さを持つ第２の平坦部と、
該第２の平坦部から下降する方向に延びる第２の斜面とを有するステージと、
前記第２の平坦部とほぼ平行で、前記第１の斜面の下端付近を光軸が通過するセンサを備え、
前記第２の斜面に集積された長手方向に半折れした紙幣の上端が、
前記第２の斜面から突出して前記センサの光軸を遮ることを特徴とする紙幣収納箱。
【請求項３】
請求項１または請求項２において、
前記センサを、紙幣の長手方向に、その長さの１／２以下の間隔を開けて２組設けたことをことを特徴とする紙幣収納箱。
【発明の詳細な説明】
【０００１】
【発明の属する技術分野】
本発明は、銀行等の金融機関に設置される紙幣入出金装置に実装される紙幣収納箱に関するもので、特に、顧客の取り忘れ紙幣や、入金時の損券、出金時の金種不明券、異常走行券等を収納するリジェクトカセットに関するものである。
【０００２】
【従来の技術】
銀行等の金融機関に設置される紙幣入出金装置には、顧客の取り忘れ紙幣や、入金時の損券、出金時の金種不明券、異常走行券等と鑑別された紙幣を取り込んで集積することが可能なリジェクトカセットが設けられている。
このリジェクトカセットには、紙幣を集積するステージを貫通する光軸を持った光センサを利用した紙幣の残留センサが設けられており、ステージ上に集積した紙幣を検知できるようになっている。
【０００３】
【発明が解決しようとする課題】
ここで、リジェクトカセットには、半折れ紙幣が収納される場合がある。このため、残留センサの数を多くする必要があった。
しかしながら、センサの数が増えると、装置のコストアップ、組み立て時の煩雑さ、また、残留センサをリジェクトカセット外に設けるのでリジェクトカセットには光軸用孔が多く必要となり、外観上およびセキュリティ低下等の問題があった。
【０００４】
【課題を解決するための手段】
上述した課題を解決するため、本発明は、短手方向に沿って放出される紙幣を集積するステージを備えた紙幣収納箱において、前記ステージを、紙幣の短手方向の長さの１／４以下の長さを持つ平坦部と、この平坦部から下降する方向に延びる斜面との組み合わせにより構成し、このステージの斜面の下端から、紙幣の短手方向の長さの１／２以下のところを光軸が通過するようにセンサを設けて、前記斜面に集積された長手方向に半折れした紙幣が、前記センサの光軸を遮るようにしたことを特徴とする。
【０００５】
【発明の実施の形態】
図１は本発明の紙幣収納箱の実施の形態の一例を示す概略側面図である。ここで、本実施の形態の紙幣収納箱は、収納した紙幣を繰り出し機構を用いて繰り出すことのないリジェクトカセットである。
図において、１はリジェクトカセットで、図示しない紙幣入出金装置に対して着脱可能に実装されるものである。
【０００６】
２は顧客の取り忘れ紙幣を収納する取り忘れ紙幣収納部、３は入金処理時に図示しない鑑別部により入金可能な真券であるが出金用として再利用するには不適な損券と鑑別された損券紙幣および出金処理時に鑑別部で金種不明と鑑別されたり異常走行が検知された出金リジェクト紙幣を収納するリジェクト紙幣収納部である。
【０００７】
４は取り忘れ紙幣収納部２へ紙幣を放出して集積させるフィードローラとプレッシャローラ等からなる集積機構、５はリジェクト紙幣収納部３へ紙幣を放出して集積させるフィードローラとプレッシャローラ等からなる集積機構である。なお、紙幣は、短手方向に沿って放出される。
６および７はリジェクトカセット１の取り忘れ紙幣収納部２およびリジェクト紙幣収納部３へ紙幣を搬送する紙幣入出金装置の搬送路の一部である。
【０００８】
８は取り忘れ紙幣収納部２内の紙幣の残留状態（紙幣の有無）を検知する残留センサ、９はリジェクト紙幣収納部３内の紙幣の残留状態を検知する残留センサで、それぞれ発光素子および受光素子より構成される。
１０は取り忘れ紙幣収納部２において取り忘れ紙幣を集積する集積ステージ、１１はリジェクト紙幣収納部３においてリジェクト紙幣を集積する集積ステージである。
【０００９】
前記集積ステージ１０は、集積機構４による紙幣の放出方向に対して、奥方から第１の平坦部１０ａ、この第１の平坦部１０ａから下降する方向に延びる第１の斜面１０ｂ、この第１の斜面１０ｂの下端から水平方向に延びる第２の平坦部１０ｃ、この第２の平坦部１０ｃから下降する方向に延びる第２の斜面１０ｄから構成される。
【００１０】
集積ステージ１１も同様に、集積機構５による紙幣の放出方向に対して、奥方から第１の平坦部１１ａ、この第１の平坦部１１ａから下降する方向に延びる第１の斜面１１ｂ、この第１の斜面１１ｂの下端から水平方向に延びる第２の平坦部１１ｃ、この第２の平坦部１１ｃから下降する方向に延びる第２の斜面１１ｄから構成される。
【００１１】
ここで、第１の平坦部１０ａ，１１ａおよび第２の平坦部１０ｃ，１１ｃの長さＬ１は、紙幣の短手方向の長さＬ２に対して１／４以下に設定する。また、第２の斜面１０ｄ，１１ｄの長さＬ３は、紙幣の短手方向の長さＬ２に対して１／２以下に設定する。なお、第１の斜面１０ｂ，１１ｂの長さは特に規定されるものではないが、集積ステージ１０，１１を構成するのに必要な全体の長さと、上述したように設定される各部の長さから設定される。
【００１２】
図２は本実施の形態の紙幣収納箱の概略平面図である。
ここで、図２は取り忘れ紙幣収納部２の平面図である。
１２は集積ステージ１０に開けられた残留センサ８の光軸用孔である。この光軸用孔１２は、第１の斜面１０ｂの中程から第２の斜面１０ｄの上端まで延びる長穴形状であり、残留センサ８の光軸は、第１の斜面１０ｂの下端付近を貫通し、第２の平坦部１０ｃにほぼ平行となる。したがって、残留センサ８の光軸は、集積ステージ１０の下端から、紙幣の短手方向の長さの１／２以下のところを通過することになる。
【００１３】
ここで、残留センサ８は、紙幣の長手方向に所定の間隔を開けて２組配置されるもので、これに対応して、光軸用孔１２も集積ステージ１０に２か所設けられる。そして、２組の残留センサ８の光軸の間隔は、紙幣の長手方向の長さの１／２以下となるように設定してあり、また、集積ステージ１０の側端からこの側端に近い方の光軸までの間隔も、紙幣の長手方向の長さの１／２以下となるように設定してある。
【００１４】
なお、集積ステージ１１にも、この図２で説明した光軸用孔１２と同じ構成かつ同じ配置の光軸用孔１２が設けてある。
以下に、本実施の形態の動作を取り忘れ紙幣収納部２側を例に説明する。
図３は半折れ紙幣の状態を示す説明図である。
図３（ａ）は、長手方向の半折れした紙幣であり、短手方向の長さが通常の紙幣の半分の長さＬ４となる。図３（ｂ）は短手方向に半折れした紙幣であり、長手方向の長さが通常の紙幣の半分となる。
【００１５】
図４は集積ステージと紙幣の長さの関係を示す概略側面図であり、上述したように、集積ステージ１０の第１の平坦部１０ａおよび第２の平坦部１０ｃの長さＬ１は、紙幣の短手方向の長さに対して１／４以下に設定してあるので、図３（ａ）に示す長手方向に半折れした紙幣の短手方向の長さＬ４に対して上記各平坦部の長さＬ１は１／２以下となる。
【００１６】
したがって、長手方向に半折れした紙幣Ａが集積機構４により第１の平坦部１０ａ上に放出されると、この紙幣Ａは第１の斜面１０ｂに落ち、第１の平坦部１０ａ上に放出されると第２の斜面１０ｄに落ちることになる。
図５および図６は紙幣の集積状態を示す概略側面図である。
長手方向に半折れした紙幣Ａが集積機構４により第２の平坦部１０ｃ上に放出されたことにより、ここから第２の斜面１０ｄに落ちるか、直接第２の斜面１０ｄに放出された場合、第２の斜面１０ｄの長さＬ３は、紙幣の短手方向の長さに対して１／２以下に設定してあるので、図５に示すように、長手方向に半折れした紙幣Ａの上端は第２の斜面１０ｄから突出する。これにより、紙幣Ａは残留センサ８の光軸を遮ることになり、長手方向に半折れした紙幣であっても残留を検知できる。
【００１７】
また、長手方向に半折れした紙幣Ａが集積機構４により第１の平坦部１０ａ上に放出されたことにより、ここから第１の斜面１０ｂに落ちるか、直接第１の斜面１０ｂに放出された場合、紙幣Ａは第１の斜面１０ｂの下端まで滑り落ちるので、図６に示すように、該紙幣Ａの下端は第１の斜面１０ｂの下端に到達する。これにより、紙幣Ａは残留センサ８の光軸を遮ることになり、長手方向に半折れした紙幣であってもやはり残留を検知できる。
【００１８】
ここで、図３（ｂ）に示すように、紙幣が短手方向に半折れしている場合は、２組の残留センサ８の光軸の間隔は、紙幣の長手方向の長さの１／２以下となるように設定してあり、また、集積ステージ１０の側端からこの側端に近い方の光軸までの間隔も、紙幣の長手方向の長さの１／２以下となるように設定してあるので、２組の残留センサ８のいずれかの光軸を必ず遮ることになり、残留が検知できる。また、紙幣が折れていない場合は、集積ステージ１０上に紙幣が集積することで必ず残留センサ８の光軸を遮ることになり、残留が検知できる。
【００１９】
なお、上記動作の説明は、取り忘れ紙幣収納部２側を例に説明したが、リジェクト紙幣収納部３側でも同様である。
以上説明したように、本実施の形態では、残留センサは、紙幣の長手方向に所定の間隔を開けて２組配置されるもので、２組の残留センサの光軸の間隔は、紙幣の長手方向の長さの１／２以下となるように設定してあり、また、集積ステージの側端からこの側端に近い方の光軸までの間隔も、紙幣の長手方向の長さの１／２以下となるように設定してある。
【００２０】
また、集積ステージを、第１の平坦部、第１の斜面、第２の平坦部、そして、第２の斜面から構成される段差のある形状とし、第１の平坦部および第２の平坦部の長さは、紙幣の短手方向の長さに対して１／４以下に設定するとともに、第２の斜面の長さは、紙幣の短手方向の長さに対して１／２以下に設定しておき、残留センサの光軸を、第１の斜面の下端付近を貫通するようにしてある。
【００２１】
したがって、長手方向に半折れした紙幣や短手方向に半折れした紙幣であっても、１つの収納部あたり２組の残留センサで確実に検知できることになる。
なお、本実施の形態では、集積ステージ１０，１１を固定のものとしたが、収納紙幣が増えるに従い、集積ステージ１０，１１が下がる可動型のステージであってもよい。すなわち、１枚目の紙幣が集積されるまでは、可動型のステージであっても図１に示す位置にあるので、最初に集積される紙幣が長手方向あるいは短手方向の半折れした紙幣であっても、２組の残留センサで検知できるからである。
【００２２】
【発明の効果】
以上説明したように、本発明は、短手方向に沿って放出される紙幣を集積するステージを備えた紙幣収納箱において、前記ステージを、紙幣の短手方向の長さの１／４以下の長さを持つ平坦部と、この平坦部から下降する方向に延びる斜面との組み合わせにより構成し、このステージの斜面の下端から、紙幣の短手方向の長さの１／２以下のところを光軸が通過するようにセンサを設け、かつ、前記センサは、紙幣の長手方向に、その長さの１／２以下の間隔を開けて２組設けることとしたものである。
【００２３】
したがって、ステージ上に集積した紙幣が長手方向に半折れの紙幣であっても短手方法に半折れの紙幣であっても、２組のセンサで確実に検知でき、センサの数を少なく抑えることで、装置のコストダウン、組み立ての容易化を図るとともに、センサの数を少なくすることで、紙幣収納箱の外枠に開く光軸用孔を減らし、紙幣収納箱の外観性の向上およびセキュリティの強化を図ることができる。
【図面の簡単な説明】
【図１】本発明の紙幣収納箱の実施の形態の一例を示す概略側面図
【図２】本実施の形態の紙幣収納箱の概略平面図
【図３】半折れ紙幣の状態を示す説明図
【図４】集積ステージと紙幣の長さの関係を示す概略側面図
【図５】紙幣の集積状態を示す概略側面図
【図６】紙幣の集積状態を示す概略側面図
【符号の説明】
１  リジェクトカセット
８  残留センサ
９  残留センサ
１０  集積ステージ
１０ａ  第１の平坦部
１０ｂ  第１の斜面
１０ｃ  第２の平坦部
１０ｄ  第２の斜面
１１  集積ステージ
１１ａ  第１の平坦部
１１ｂ  第１の斜面
１１ｃ  第２の平坦部
１１ｄ  第２の斜面
【図１】
0003620967.tif 000002
【図２】
0003620967.tif 000003
【図３】
0003620967.tif 000004
【図４】
0003620967.tif 000005
【図５】
0003620967.tif 000006
【図６】
0003620967.tif 000007